(57)【要約】【課題】複数枚のパネルを継手を介して折畳み可能に連結して成る伸縮自在な折戸装置であって、上レールだけで吊設することが出来る折れ戸装置の提供。【解決手段】各パネル１ａ，１ｂ・・の上端中央部に取着した吊車１４，１４・・を介して鴨居１０の下側に形成した溝１１に嵌めている上レール１２に吊設し、パネル下端は床面との間に隙間を残し、そして隣り合うパネルを連結する継手２ａ，２ｂ・・には該パネル１ａ，１ｂ・・に取着したギア４ａ，４ｂ・・を互いに噛み合わせている。【選択図】        図１
2005048375.tif 000002
【特許請求の範囲】
【請求項１】
複数枚のパネルを継手を介して折畳み可能に連結して成る伸縮自在な折戸装置において、各パネルの上端中央部に取着した吊車を介して鴨居の下側に形成した溝に嵌めている上レールに吊設し、パネル下端は床面との間に隙間を残し、そして隣り合うパネルを連結する継手には該パネルに取着したギアを互いに噛み合わせたことを特徴とする伸縮自在な折戸装置。
【請求項２】
上記パネルとして、中子を有す枠体にシートを貼り合わせた障子又はふすま形態とした請求項１記載の伸縮自在な折戸装置。
【請求項３】
上記シートとして消臭生地を用いた請求項２記載の伸縮自在な折戸装置。
【請求項４】
上記パネル間の隙間に消臭シートを取付けて隙間を塞いだ請求項２、又は請求項３記載の伸縮自在な折戸装置。
【発明の詳細な説明】
【０００１】
【発明の属する技術分野】
本発明は部屋を仕切る為の伸縮可能な折戸装置に関するものである。ここで、「パネル」とはコアに表面材を貼着して構成したもの、木で骨組みした枠体の片面から紙を貼って構成される「障子」、又枠体の両面に紙や布を貼着した「ふすま」も対象とする。そして、枠体の材質としては木製に限らず、樹脂やアルミ材が使用される。
【０００２】
【従来の技術】
和室は「障子」や「ふすま」と称される建具が用いられて他の部屋又は廊下と仕切られている。下レールとなる敷居と上レールとなる鴨居が水平に設けられ、障子は敷居と鴨居の間に嵌ってスライド移動することが出来、和室を閉切り、又は開放することが出来る。和室の大きさによって複数枚の障子が取付けられ、上記敷居及び鴨居に沿ってスライド移動することが出来る。
【０００３】
敷居及び鴨居には２本の溝レールが平行に設けられて、これら溝レールに障子の上端及び下端が遊嵌することが出来る。部屋を開放する場合には各障子を一方側に引き寄せることになるが、敷居及び鴨居に設けた溝レールに沿って開閉する障子は開口全長の１／２しか開くことは出来ない。すなわち、開口の１／２には障子が存在した状態にある。勿論、溝レールの本数を多くするならば、開放空間は大きくなるが、従来の障子やふすまでは仕切り空間を全開することは不可能である。
【０００４】
従来、出入り口の開閉装置として、又部屋の仕切りとして折畳み式扉が多用されている。該、折畳み式扉は複数枚のパネルが継手を介して折畳み出来るように連結され、そして上レールに吊設されている。吊設される箇所は主継手部であり、該主継手部の上端に取着している吊車が上レールに載って吊設する。又主継手部の下端にはスライダーが設けられ、該スライダーは下レールのガイド溝に嵌ってスライドすることが出来る。
【０００５】
従って、主継手の間に位置してパネルを連結する副継手はフリーな状態となり、上レール及び下レールから蹴り出されて折畳まれる。その為に、折畳み扉が折畳まれた際には、複数枚のパネルは上レール及び下レールから一方側へ張り出した状態となり、吊車及び上レールにはパネルを支える垂直方向の荷重だけでなくモーメントが発生し、その為にも下レールのガイド溝にスライダーを遊嵌してモーメントに対抗する構造にする必要がある。
【０００６】
【発明が解決しようとする課題】
このように、従来の折畳み式扉装置には上記のごとき問題がある。本発明が解決しようとする課題はこの問題点であり、間口のほぼ全幅を開放することが出来るようにすると共に、上レールだけで吊設することが出来るように、構造が簡素化された伸縮自在な折戸装置を提供する。
【０００７】
【課題を解決する為の手段】
本発明の折戸装置は複数枚のパネルが継手を介して折畳み可能に連結され、そして各パネルの上端中央は上レールに吊設されている。上端中央には吊車（スライダー）が取着されて上レールに吊設され、しかも該吊車が上レールに沿って移動することで折戸は伸縮することが出来る。そして、各パネルはその側端が継手によって連結されている為に、引手側パネルを操作することで、全てのパネルが吊車の吊軸を中心として同時に回転し、折戸は伸縮することが出来る。
【０００８】
ここで、「パネル」とはコア等の充填材に表面材を貼着して構成したもの、木で骨組みした枠体の片面から紙などのシートを貼って構成される「障子」、又枠体の両面に紙や布を貼着した「ふすま」も対象とする。そして、枠体は木製に限らず、樹脂又はアルミ材が使用される。以下、本発明に係る実施例を図面に基づいて詳細に説明する。
【０００９】
【実施例】
図１は本発明の伸縮自在な折戸装置の横断面を示す概略図であり、（ａ）は伸長状態、（ｂ）は波形に屈曲した状態、（ｃ）は折畳まれた状態をそれぞれ表わしている。この折戸装置は４枚のパネル１ａ，１ｂ…から成り、各パネル１ａ，１ｂ…は継手２ａ，２ｂ…を介して連結され、その為に、折戸は伸縮することが出来ると共に折畳みされ得る。そして、各パネル１ａ，１ｂ…は上端中央に吊車が取着され、該吊車は上レールに載って走行・移動することが出来、吊車の移動に伴って折戸は同図に示すように伸縮することが出来る。
【００１０】
すなわち、各パネル１ａ，１ｂ…は吊車を介して上レールに吊設され、しかも吊車が上レールを移動することで折戸は伸縮する。パネル１ａ，１ｂ，１ｃは同一大きさの長方形を成しているが，吊元側パネル１ｄは約１／２の幅寸法となっていて、吊元枠３と継手２ｄを介して連結している。
【００１１】
ところで、各パネル１ａ，１ｂ…は上端中央に取着している吊車によって吊設されている為に、継手２ａ，２ｂ…は一般に蝶番継手が用いられて屈曲し、伸縮動作を行う場合に各パネル１ａ，１ｂ…の屈曲角（上レールに対しての傾斜角）が等しくなるように、図２に示すギア４ａ，４ｂを用いて互いに噛み合わせることが出来る。すなわち、ギア４ａ，４ｂはパネル１ａ，１ｂ…の側端に取着された取付け板５ａ，５ｂに固定され、隣り合うパネル１ａ，１ｂ…の屈曲角を等しくなるように保つことが出来る。
【００１２】
パネル１ａ，１ｂ…の上端中央に取着している吊車間距離を底辺とし、継手２ａ，２ｂ…が頂点となる二等辺三角形を形成する為に、伸縮に伴う折戸を構成する全てのパネル１ａ，１ｂ…の屈曲角は等しくなるはずであるが、上レールと吊車間の隙間の影響で二等辺三角形の形状が崩れて、全てのパネル１ａ，１ｂ…の屈曲角を等しくして伸縮することが出来ないこともあり、その為に伸縮操作をスムーズに行うことに支障をきたすこともある。そこで、本発明では図２に示すギア４ａ，４ｂを継手に取付けた構造としている。そして、本発明の折戸装置は各パネル１ａ，１ｂ…が上端中央に吊設される為に重量的にバランスし、下端にはスライダーを備えておらず、下レールも不要となる。
【００１３】
図３は本発明の折戸装置を示す正面図である。４枚パネル１ａ，１ｂ…から成る折戸装置が装着されている。同図は間口が閉じられている場合であるが、折戸を折畳むならば吊元枠３の側へ寄って収納され、間口はほぼ全開する。そして、同図に示す折戸は障子で構成したパネル１ａ，１ｂ…が用いられている。障子形態をしたパネル１は両縦桟６，６と上下横桟７，７にて枠組された枠体には細い縦中子８と横中子９，９・・が組み合わされ、該枠体の片面には紙や布等のシートが貼り合わされている。そして、鴨居１０には上レールが取着され、この上レールに折戸が吊設されている。
【００１４】
図４、図５は上記図３の縦断面及び横断面を表わしている。図４に示すように、鴨居１０の下側には角形断面の溝１１を沿設し、この溝１１に上レール１２を嵌めて取着している。上レール１２は下方から鴨居１０にネジ止めされるが、外からはほとんど見えないように取付けられ、上レール１２の両走行片１３，１３に吊車１４が載って移動することが出来る。吊車１４から吊軸１５が垂下してパネル１と連結している。そして、枠体の縦桟６，６及び横桟７，７の内側片面が切欠かれ、この切欠き部に長方形の補助枠１６が嵌っている。
【００１５】
すなわち、シート１７は補助枠１６の片面に貼着され、この補助枠１６が枠体の切欠き溝に嵌合して取付けられている。また、シート１７を枠体に面接して補助枠１６にて外れないように押えることも出来る。勿論、本発明ではパネル１の具体的な構成は限定せず、上記シート１７の貼着方法は自由であると共に、パネル１としての基本構造も自由である。例えば、コアを充填体として枠体に嵌め、この両面に表面材を貼り合わせて構成することも出来、また和室の仕切りとして使用できるように、「ふすま」を構成することも可能である。すなわち、中子を設けた枠体の両面に和紙を貼り合わせることで和室に適した「ふすま」を構成することが出来る。
【００１６】
一方、上記シート１７として消臭生地を使用することもあり、臭いが問題となる老人ホーム等の部屋の仕切りとして利用すると効果があり、該シート１７は手軽に交換できる。さらに、図５に示すように各パネル１ａ，１ｂ…間の隙間を塞ぐために、同じくシート１８を取付けることもあり、該シート１８として消臭生地が用いられる。このパネル間の継手部隙間を塞ぐシート１８は枠体の縦桟６に押え桟１９を取付けて押えることが出来る。
【００１７】
以上述べたように、本発明の折戸装置は複数枚のパネルを継手を介して連結し、各パネル上端中央部に取着した吊車を介して上レールに吊設して伸縮自在としたものであり、次のような効果を得ることが出来る。
【００１８】
【発明の効果】
本発明の折戸装置は複数枚のパネルが継手を介して折畳み可能に連結して構成している。そして、パネルは上端中央に取着した吊車によって上レールに吊設されている為に各パネルは重量的にバランスし、パネル下端にスライダーを設けて下レールに遊嵌する必要はなく、上レールに沿って吊車が移動することで折戸は伸縮することが出来る。
【００１９】
又、各パネルは継手を介して連結していると共に、各パネルに取着したギアが互いに噛み合っている為に、全てのパネルの屈曲角度が等しく保たれた状態で伸縮することが出来る。そして、パネルとして和室に適した障子又はふすまを構成することが出来、この場合に木製の枠体で構成したパネルであっても、上端中央に取着した吊車にて吊設する為に強度的には何ら問題なく、鴨居や上レールにも大きな荷重は作用しない。一方、障子やふすまの紙として消臭生地を使用するならば、部屋の臭いを効率よく取ることが出来る。
【図面の簡単な説明】
【図１】本発明の伸縮自在な折戸装置の概略図で、（ａ）は伸長状態、（ｂ）は僅かに屈曲した状態、（ｃ）は折畳まれた状態。
【図２】パネル間の継手にギアを取付けた構造を示す具体例。
【図３】本発明の伸縮自在な折戸装置の正面図。
【図４】上記図３の縦断面拡大図。
【図５】上記図３の横断面拡大図。
【符号の説明】
１  パネル
２  継手
３  吊元枠
４  ギア
５  取付け板
６  縦桟
７  横桟
８  縦中子
９  横中子
１０  鴨居
１１  溝
１２  上レール
１３  走行片
１４  吊車
１５  吊軸
１６  補助枠
１７  シート
１８  シート
１９  押え桟
【図１】
2005048375.tif 000003
【図２】
2005048375.tif 000004
【図３】
2005048375.tif 000005
【図４】
2005048375.tif 000006
【図５】
2005048375.tif 000007